(57)【要約】【課題】名称や属性、ロット番号等の情報が記録されたカードを着脱可能に保持するカードホルダに関し、カードに配設された無線タグから、良好に情報を読み取り得るようにカードを保持するカードホルダを提供する。【解決手段】カードホルダ１は、カード保持部１０と、薄肉ヒンジ２０と、受け部３０と、枠体部４０と、取付部５０を有し、上側金型ＭＡ及び下側金型ＭＢに合成樹脂を射出成型して一体成型される。カード保持部１０は、平板状の本体部１１と、保持片１３とを有し、本体部１１と保持片１３の間に、無線タグＴＷが配設された識別カードＴを保持し得る。薄肉ヒンジ２０を軸として、当該カード保持部１０を回動し、受け部３０に重ね合わせた使用状態にすると、カード保持部１０に保持された識別カードＴは、金属ラックＲの棚枠ＲＡに取り付けられた取付部５０から、枠体部４０に相当する距離以上離間した位置に位置する。【選択図】図９
2014099136.tif 000002
【特許請求の範囲】
【請求項１】
平板状の本体部と、前記本体部表面から間隔を隔てた位置に形成された保持片と、を樹脂により一体成型し、前記本体部と前記保持片の間に挿入することで、無線タグを有するカードを保持可能に構成されたカード保持部を有するカードホルダであって、
前記カード保持部における本体部の一辺側において、前記カード保持部と共に樹脂により一体成型された平板状の受け部と、
前記カード保持部及び前記受け部の間において、前記カード保持部及び前記受け部と共に樹脂により一体成型され、前記カード保持部を、前記受け部に対して回動可能に接続する薄肉ヒンジと、
前記薄肉ヒンジが形成された前記受け部の一辺に対向し、且つ、前記カード保持部が回動可能な寸法離間した位置において、樹脂により形成され、当該カードホルダを対象物に取り付ける為の取付部と、
前記薄肉ヒンジが形成された前記受け部の一辺と、当該受け部の一辺に対向する前記取付部の一辺と共に、前記カード保持部の端縁を囲むように、樹脂により前記受け部及び前記取付部と共に一体成型された枠体部と、を有し、
前記カード保持部は、
前記薄肉ヒンジを中心に回動させて、前記受け部に対して重ね合わせた場合に、前記取付部から、前記枠体部に相当する寸法離間した位置に位置する
ことを特徴とするカードホルダ。
【請求項２】
請求項１記載のカードホルダであって、
前記受け部は、
前記薄肉ヒンジが形成された前記受け部の一辺と、当該受け部の一辺に対向する前記取付部の一辺とを結ぶ前記枠体部に対して、所定角度で傾斜している
ことを特徴とするカードホルダ。
【発明の詳細な説明】
【技術分野】
【０００１】
本発明は、名称や属性、ロット番号等の情報が記録されたカードを着脱可能に保持するカードホルダに関する。
【背景技術】
【０００２】
従来、カードホルダは、物品の名称や属性、ロット番号等の情報が記録されたカードを着脱可能に構成されており、当該物品を収納した運搬用容器や、当該物品や運搬用容器等を収納・保管する為のラック等に取り付けられている。そして、自動倉庫等においては、カードホルダに保持されたカードから取得される情報を用いて、物品及び物品が収納された運搬用容器の搬入、搬出及び管理等を行うように構成されている。
【０００３】
上述のようなカードホルダに関する発明として、例えば、特許文献１に記載された発明が知られている。特許文献１記載のカードホルダは、合成樹脂により平板状に形成された底部（本願の本体部に相当）と、当該底部と共に一体形成され、底部と所定間隔を隔てて水平に延出された張出部（本願の保持片に相当）を有して構成されている。そして、特許文献１記載のカードホルダは、運搬用容器の側壁に接着、溶着或いはネジ等の適当な固着具により取り付けられており、底部と張出部の間にカードを挿入することにより、運搬用容器に収納されている物品の行き先、物品名、種類、数量等が記録されたカードを着脱可能に挟持している。
【先行技術文献】
【特許文献】
【０００４】
【特許文献１】特許第３３１５５０９号公報
【発明の概要】
【発明が解決しようとする課題】
【０００５】
ここで、近年、自動倉庫等で運搬用容器の搬入、搬出及び管理等を行う場合に利用される情報の種類及び情報量は増大しており、これらに対応すべく、カードホルダに保持されるカードとして、これらの情報が記録された無線タグを有するカードが用いられる場合がある。この場合、無線タグに記録されている情報は、当該無線タグと無線タグリーダの間における電波の送受信によって、無線タグリーダにより読み取られ、自動倉庫等では、無線タグリーダにより読み取った情報を用いて、物品及び物品を収納した運搬用容器の搬入、搬出及び管理等が行われる。
【０００６】
上述したように、無線タグリーダによる情報の読取は、無線タグとの間の電波の送受信によって行われるが、この電波は、その周囲に存在する金属や液体の影響を受けやすい。従って、無線タグ近傍に金属や液体が存在している場合、金属や液体に起因する影響によって、無線タグリーダによる情報の読取不良が生じる場合がある。
【０００７】
この点、特許文献１記載のカードホルダは、運搬用容器の側面に固着されている為、運搬用容器内に収納された物品と近い位置に、カードを保持している。当該運搬用容器内に金属部品や液体を収納している場合に、カードに配設されている無線タグから情報を読み取ろうとすると、無線タグリーダとの間で送受信される電波は、運搬用容器内の金属や液体の存在により影響を受ける為、無線タグ内の情報の読取不良を起こし、物品及び物品を収納した運搬用容器の搬入、搬出及び管理等に支障を来す。
【０００８】
又、上述したようなカードホルダは、運搬用容器のみならず、物品や運搬用容器等を収納・保管する為のラックに取り付けられる場合がある。更に、当該ラックは、金属製の部材により構成される場合がある。特許文献１記載のカードホルダを、金属製のラックに取り付けた場合も、無線タグが配設されたカードは、当該カードホルダによって、金属製のラックを構成する金属部材と近い位置に保持される。従って、この場合においても、カードに配設されている無線タグから情報を読み取ろうとすると、無線タグリーダとの間で送受信される電波は、金属製ラックを構成する金属部材により影響を受ける為、無線タグ内の情報の読取不良を起こし、物品及び物品を収納した運搬用容器の搬入、搬出及び管理等に支障を来す。
【０００９】
本発明は、名称や属性、ロット番号等の情報が記録されたカードを着脱可能に保持するカードホルダに関し、カードに配設された無線タグから、良好に情報を読み取り得るようにカードを保持するカードホルダを提供する。
【課題を解決するための手段】
【００１０】
請求項１に係るカードホルダは、平板状の本体部と、前記本体部表面から間隔を隔てた位置に形成された保持片と、を樹脂により一体成型し、前記本体部と前記保持片の間に挿入することで、無線タグを有するカードを保持可能に構成されたカード保持部を有するカードホルダであって、前記カード保持部における本体部の一辺側において、前記カード保持部と共に樹脂により一体成型された平板状の受け部と、前記カード保持部及び前記受け部の間において、前記カード保持部及び前記受け部と共に樹脂により一体成型され、前記カード保持部を、前記受け部に対して回動可能に接続する薄肉ヒンジと、前記薄肉ヒンジが形成された前記受け部の一辺に対向し、且つ、前記カード保持部が回動可能な寸法離間した位置において、樹脂により形成され、当該カードホルダを対象物に取り付ける為の取付部と、前記薄肉ヒンジが形成された前記受け部の一辺と、当該受け部の一辺に対向する前記取付部の一辺と共に、前記カード保持部の端縁を囲むように、樹脂により前記受け部及び前記取付部と共に一体成型された枠体部と、を有し、前記カード保持部は、前記薄肉ヒンジを中心に回動させて、前記受け部に対して重ね合わせた場合に、前記取付部から、前記枠体部に相当する寸法離間した位置に位置することを特徴とする。
【００１１】
そして、請求項２に係るカードホルダは、請求項１記載のカードホルダであって、前記受け部は、前記薄肉ヒンジが形成された前記受け部の一辺と、当該受け部の一辺に対向する前記取付部の一辺とを結ぶ前記枠体部に対して、所定角度で傾斜していることを特徴とする。
【発明の効果】
【００１２】
請求項１に係るカードホルダは、カード保持部と、受け部と、薄肉ヒンジと、取付部と、枠体部とを有し、樹脂により一体成型されている。カード保持部は、平板状の本体部と、前記本体部表面から間隔を隔てた位置に形成された保持片とを有しており、前記本体部と前記保持片の間に挿入することで、無線タグを有するカードを保持可能に構成されている。薄肉ヒンジは、前記カード保持部と、当該カード保持部における本体部の一辺側に平板状に形成された受け部の間において、前記カード保持部を、前記受け部に対して回動可能に接続している。従って、当該カードホルダによれば、薄肉ヒンジを軸として、カード保持部を回動させることができ、当該カード保持部を受け部に対して重ね合わせることができる。そして、取付部は、前記薄肉ヒンジが形成された前記受け部の一辺に対向し、且つ、前記カード保持部が回動可能な寸法離間した位置に形成され、当該カードホルダを対象物（例えば、運搬用容器やラック等）に取り付ける際に用いられる。枠体部は、前記薄肉ヒンジが形成された前記受け部の一辺と、当該受け部の一辺に対向する前記取付部の一辺と共に、前記カード保持部の端縁を囲むように形成されている。従って、当該カードホルダによれば、前記カード保持部を、前記薄肉ヒンジを中心に回動させて、前記受け部に対して重ね合わせると、当該カード保持部を、前記取付部から、前記枠体部に相当する寸法離間した位置に位置させることができる。これにより、当該カード保持部に、無線タグを有するカードを保持させた場合、当該無線タグは、対象物に取り付けられた取付部から、前記枠体部に相当する寸法以上離間した位置に位置することになる。この結果、当該カードホルダによれば、対象物近傍に金属や液体が存在する場合（例えば、運搬用容器に金属や液体を収納している場合等）であっても、カード保持部に保持されたカードの無線タグを、対象物近傍の金属や液体から所定距離離間させて、無線タグに記録された情報を読み取る際に電波が受ける影響を低減することができ、もって、無線タグに記録された情報の読取不良を防止し得る。
【００１３】
請求項２に係るカードホルダにおいて、前記受け部は、前記薄肉ヒンジが形成された前記受け部の一辺と、当該受け部の一辺に対向する前記取付部の一辺とを結ぶ前記枠体部に対して、所定角度で傾斜している。従って、当該カードホルダによれば、薄肉ヒンジを軸として、カード保持部を回動させ、当該カード保持部を受け部に対して重ね合わせると、カード保持部を、所定角度で傾斜した状態にすることができる。この場合、カード保持部に保持されたカードも、所定角度で傾斜した状態となる為、無線タグに記録された情報の読取精度を向上させ得る。
【図面の簡単な説明】
【００１４】
【図１】本実施形態に係るカードホルダの通常状態を示す外観斜視図（１）である。
【図２】本実施形態に係るカードホルダの通常状態を示す外観斜視図（２）である。
【図３】図１におけるＩ−Ｉ断面を示す側断面図である。
【図４】本実施形態に係るカードホルダの使用状態を示す外観斜視図（１）である。
【図５】本実施形態に係るカードホルダの使用状態を示す外観斜視図（２）である。
【図６】図４におけるＩＩ−ＩＩ断面を示す側断面図である。
【図７】本実施形態に係るカードホルダを金属ラックに取り付けた状態を示す説明図である。
【図８】本実施形態に係るカードホルダをコンテナに取り付けた状態を示す説明図である。
【図９】本実施形態に係るカードホルダを成型する際の金型の側断面図である。
【図１０】傾斜したカード保持部を有するカードホルダの側断面図である。
【発明を実施するための形態】
【００１５】
以下、本発明に係るカードホルダを、カードホルダ１に適用した実施形態に基づいて、図面を参照しつつ詳細に説明する。先ず、本実施形態に係るカードホルダ１の構成について、図面を参照しつつ説明する。本実施形態に係るカードホルダ１は、組立工場や配送場等において、対象物（後述するコンテナＣや金属ラックＲ）に対して取り付けられ、識別カードＴを保持可能に構成されている（図７、図８参照）。識別カードＴは、無線タグＴＷを有しており、無線タグＴＷには、物品の名称や属性、ロット番号等の多様な情報が記録されている。
【００１６】
尚、以下の説明においては、カードホルダ１が対象物（後述するコンテナＣや金属ラックＲ）に取り付けられている状態を基準として、カードホルダ１の上下方向を定義し、対象物側を後側、その逆側を前側（正面）として、前後方向を定義して説明する。又、カードホルダ１の左右方向については、対象物側から前側を向いた場合の左右方向として定義して説明する。
【００１７】
図１〜図６に示すように、本実施形態に係るカードホルダ１は、カード保持部１０と、薄肉ヒンジ２０と、受け部３０と、枠体部４０と、取付部５０を有しており、図９に示すように、上側金型ＭＡ及び下側金型ＭＢを用いて、合成樹脂を射出成型することで、一体成型されている。カード保持部１０は、一部が開放された箱型状に形成されており、識別カードＴを着脱可能に保持する。当該カード保持部１０は、その一辺側に形成された薄肉ヒンジ２０を介して、カード保持部１０の前方に配置された平板状の受け部３０に対して回動自在に接続されている。従って、当該カードホルダ１は、薄肉ヒンジ２０を軸としたカード保持部１０の回動状態に応じて、通常状態（図１〜図３参照）と、使用状態（図４〜図６参照）の２つの態様をとり得る。
【００１８】
尚、通常状態とは、図１〜図３に示すように、薄肉ヒンジ２０を軸として、カード保持部１０を回動させることなく、略水平に保持している状態である。そして、使用状態とは、薄肉ヒンジ２０を軸として、カード保持部１０を回動させ、受け部３０上面に重ね合わせた状態を意味し、カードホルダ１として、対象物（金属ラックＲやコンテナＣ等）に取り付けられ、使用される状態を意味する。
【００１９】
カード保持部１０は、本体部１１と、側壁１２と、保持片１３と、係止突起１４を有し、識別カードＴを着脱可能に保持するカードホルダ１の主要部を構成する。当該カード保持部１０は、本体部１１と、側壁１２と、保持片１３によって、一部が開放された箱型状に形成される。本体部１１は、略四角形を為す板状に形成されており、箱状を為すカード保持部１０の一面を構成する。又、本体部１１の一辺側（受け部３０側に位置する一辺）には、薄肉ヒンジ２０が形成されている。
【００２０】
側壁１２は、本体部１１において、薄肉ヒンジ２０が形成された一辺と、その左右両側に位置する２辺に沿って、本体部１１の一面側（通常状態における下面側）に立設されており、箱状を為すカード保持部１０の側面を構成する。
【００２１】
保持片１３は、カード保持部１０の左右両側に形成された側壁１２の端縁から、本体部１１表面に対して水平に延出されており、本体部１１表面に対して所定の間隔を隔てた位置に形成されている。図７、図８に示すように、当該カードホルダ１は、本体部１１と保持片１３の間に識別カードＴを挿入することで、識別カードＴの左右両側端部を押さえることができ、もって、識別カードＴを保持することができる。
【００２２】
又、各保持片１３は、図１、図５に示すように、本体部１１側の一面に、本体部１１表面に向かって突出形成された保持リブ１３Ａを有している。この保持リブ１３Ａによって、保持リブ１３Ａ端部と本体部１１表面の間隔を若干狭めることができるので、識別カードＴの左右両側端部を挟持することができる。
【００２３】
ここで、上述したように、カードホルダ１は、上述した凹凸金型である上側金型ＭＡ及び下側金型ＭＢを用いて、合成樹脂を射出成型することにより一体に形成される。そして、保持片１３を本体部１１表面から所定間隔を隔てた位置に形成し、下側金型ＭＢを抜く必要がある為、本体部１１には、各保持片１３と対向する範囲以上の大きさの開口部１１Ａが、必然的に形成されている。
【００２４】
そして、係止突起１４は、本体部１１の他面側（通常状態における上面側）に突出形成されており、薄肉ヒンジ２０を軸に、カード保持部１０を受け部３０に重ね合わせた場合に、受け部３０に形成された係止孔３１と係合する（図５、図６参照）。従って、カード保持部１０の係止突起１４を、受け部３０の係止孔３１と係合させることにより、カードホルダ１は、カード保持部１０を受け部３０に重ね合わせた使用状態を維持することができる。
【００２５】
薄肉ヒンジ２０は、カードホルダ１の前方部分を構成する受け部３０と、カード保持部１０の間において、カード保持部１０を構成する本体部１１の一辺側に沿って形成されている（図１〜図６参照）。上述したように、薄肉ヒンジ２０は、カード保持部１０や受け部３０等、カードホルダ１を構成する各部と一体に形成されており、カード保持部１０の本体部１１の厚み及び、受け部３０の厚みよりも薄く形成されている。カード保持部１０及び受け部３０よりも薄肉に形成することにより、薄肉ヒンジ２０は、前記カード保持部１０を、前記受け部３０に対して回動可能に接続し得る。
【００２６】
受け部３０は、略四角形の平板状に形成されており、当該カードホルダ１の前方部分を構成する。受け部３０は、カードホルダ１において、前方側ほど上方に位置するように、所定角度で傾斜した状態で配置されている。上述したように、受け部３０における後方下側に位置する一辺には、薄肉ヒンジ２０が一体形成されており、カード保持部１０を回動可能に保持している。従って、図４〜図６に示すように、薄肉ヒンジ２０を軸として、カード保持部１０を回動させて使用状態にすると、カード保持部１０は、受け部３０の傾斜に沿った状態となる。又、受け部３０の中央部分には、係止孔３１が形成されており、カード保持部１０の係止突起１４と協働することにより、カード保持部１０を受け部３０に重ね合わせた使用状態を維持する。
【００２７】
枠体部４０は、カードホルダ１の前方部分を構成する受け部３０と、カードホルダ１の後方部分を構成する取付部５０との間を接続し、通常状態にあるカード保持部１０の側面（即ち、薄肉ヒンジ２０が形成されている部分を除く三方の側面）を囲むように形成されている。
【００２８】
取付部５０は、当該カードホルダ１の後方部分を構成し、当該カードホルダ１を対象物（例えば、金属ラックＲやコンテナＣ）に取り付ける際に用いられる。又、当該取付部５０には、取付溝５１と、取付突起５２が形成されている。取付溝５１は、取付部５０において、下方が開放されており溝状に形成されており、カードホルダ１の左右方向に延びている。取付溝５１は、その内部に対象物（金属ラックＲやコンテナＣ）の一部が挿入されることにより、カードホルダ１を対象物に対して保持する。取付突起５２は、取付溝５１の内壁面に形成されており、取付溝５１内に挿入された対象物の一部を挟持する。
【００２９】
図１〜図３に示すように、本実施形態に係るカードホルダ１が通常状態にある場合、カード保持部１０は、受け部３０と取付部５０の間の位置において、枠体部４０と略平行な状態で保持されている。図９に示すように、当該カードホルダ１は、上側金型ＭＡ及び下側金型ＭＢを用いて、射出成型されると、通常状態で上側金型ＭＡ及び下側金型ＭＢの間に形成される。従って、本実施形態に係るカードホルダ１は、上側金型ＭＡ及び下側金型ＭＢから取り外され、製造された時点では、通常状態を為す。
【００３０】
そして、本実施形態に係るカードホルダ１は、対象物（金属ラックＲやコンテナＣ）に取り付けて使用する場合、図４〜図６に示す使用状態に変更して使用される。具体的に通常状態から、薄肉ヒンジ２０を軸として、カード保持部１０を、カードホルダ１の上方に向かって回動させ、カード保持部１０を、受け部３０上面に重ね合わせることにより、カードホルダ１を使用状態に変更する。この時、カード保持部１０の係止突起１４は、受け部３０に形成された係止孔３１を挿通し、カード保持部１０を受け部３０上面に係止する。係止突起１４と係止孔３１の協働により、カードホルダ１は、使用状態を維持することができる。
【００３１】
図４〜図６に示すように、カードホルダ１が使用状態にある場合、カード保持部１０の本体部１１は、受け部３０上面に対して重ね合わされている。上述したように、本体部１１には、各保持片１３に対向する範囲に、開口部１１Ａを有している為、当該カードホルダ１が使用状態にある場合に、各開口部１１Ａの少なくとも一部は、受け部３０によって閉塞され、受け部３０と重畳する位置に配置される（図６参照）。
【００３２】
ここで、カード保持部１０において、保持片１３と対向する部分には、開口部１１Ａが形成されている為、カード保持部１０における各保持片１３近傍の強度は、他の部分よりも低いことになる。この点、図４〜図６に示すように、カードホルダ１を使用状態にすれば、各開口部１１Ａの少なくとも一部を、受け部３０と重畳する位置に配置することができるので、受け部３０によって、各保持片１３近傍の強度を補うことができ、カードホルダ１における保持強度を、十分なものとすることができる。
【００３３】
次に、本実施形態に係るカードホルダ１の使用態様について、図７、図８を参照しつつ詳細に説明する。先ず、本実施形態に係るカードホルダ１を、金属ラックＲに取り付けて使用する場合について説明する。ここで、当該金属ラックＲは、自動倉庫、組立工場や配送場等において、物品や、当該物品を収納した運搬用容器（例えば、コンテナＣ）等を収納・保管する為のラックであり、棚枠ＲＡを含む金属製の部材によって構成されている。図７に示すように、棚枠ＲＡは、金属ラックＲを構成する所定の断面形状を有する金属鋼材であり、金属ラックＲにおいて、水平方向に延びるように配設されている。又、棚枠ＲＡの下側リップ部分を構成する下側端縁は、上方に向かって鉛直に立設されている。
【００３４】
図７に示すように、本実施形態に係るカードホルダ１は、取付部５０の取付溝５１を介して、金属ラックＲを構成する棚枠ＲＡの下側端縁に対して取り付けられる。具体的には、棚枠ＲＡの下側端縁の上方から、当該使用状態とされたカードホルダ１を下方に移動させ、取付部５０の取付溝５１内に、棚枠ＲＡの下側端縁を挿入する。これにより、取付部５０の取付溝５１によって、棚枠ＲＡの下側端縁が挟持されることになるので、本実施形態に係るカードホルダ１を、金属ラックＲの棚枠ＲＡに対して取り付けることができる。
【００３５】
尚、本実施形態に係るカードホルダ１を対象物（金属ラックＲやコンテナＣ）に取り付けた状態で、カードホルダ１が使用状態であればよく、通常状態で取り付けた後に、カード保持部１０を回動させて使用状態にしても良い。
【００３６】
そして、使用状態で棚枠ＲＡに取り付けられたカードホルダ１において、識別カードＴが、カード保持部１０内に挿入されて保持される。上述したように、識別カードＴは、無線タグＴＷを有しており、無線タグＴＷには、物品の名称や属性、ロット番号等の多様な情報が記録されている。
【００３７】
ここで、無線タグＴＷに記録されている情報の読取を正常に行う為には、無線タグＴＷと、無線タグリーダ（図示せず）との間で、電波の送受信が正常に行われることが必要である。この点、無線タグＴＷと、無線タグリーダとの間で送受信される電波は、無線タグＴＷ近傍に位置する金属や液体の影響を受ける場合があり、これらの金属や液体の影響を受けた場合、無線タグＴＷに記録された情報の読取不良が生じ得る。
【００３８】
本実施形態に係るカードホルダ１を、金属ラックＲの棚枠ＲＡに対して、使用状態で取り付けた場合、カード保持部１０は、棚枠ＲＡから、枠体部４０に相当する距離の分だけ離間した位置に位置する（図７参照）。従って、カード保持部１０に保持された識別カードＴの無線タグＴＷは、金属である棚枠ＲＡから、枠体部４０に相当する距離以上離間した位置に位置する。これにより、無線タグＴＷに記録された情報を読み取る際に送受信される電波が、金属製の棚枠ＲＡから受ける影響を小さくすることができるため、当該カードホルダ１は、無線タグＴＷの読取不良が少ない態様で、識別カードＴを保持することができる。
【００３９】
又、本実施形態に係るカードホルダ１を、金属ラックＲの棚枠ＲＡに対して、使用状態で取り付けた場合、カード保持部１０は、受け部３０に沿って所定角度で傾斜した状態となる。この場合、カード保持部１０に保持された識別カードＴも、所定角度で傾斜した状態となる為、無線タグＴＷに記録された情報の読取精度を向上させ得る。
【００４０】
次に、本実施形態に係るカードホルダ１を、コンテナＣに取り付けて使用する場合について説明する。ここで、当該コンテナＣは、自動倉庫、組立工場や配送場等において、物品（例えば、金属製部品や液体等）を収納する運搬用容器であり、合成樹脂によって、上方が開放された箱状に形成されている。図８に示すように、コンテナＣは、その開口縁を構成する四辺に、取付穴ＣＡを有している。取付穴ＣＡは、本実施形態に係るカードホルダ１を取り付ける為の長穴であり、取付部５０の一部を挿入可能に構成されている。
【００４１】
図８に示すように、本実施形態に係るカードホルダ１は、取付部５０の取付溝５１を介して、コンテナＣの取付穴ＣＡに対して取り付けられる。具体的には、コンテナＣの取付穴ＣＡの上方から、当該使用状態とされたカードホルダ１を下方に移動させ、取付部５０の一部を、コンテナＣの取付穴ＣＡ内に挿入する。これにより、取付部５０の取付溝５１によって、コンテナＣの開口縁の一部が挟持されることになるので、本実施形態に係るカードホルダ１を、コンテナＣに対して取り付けることができる。
【００４２】
図８に示すように、使用状態でコンテナＣに取り付けられたカードホルダ１において、識別カードＴが、カード保持部１０内に挿入されて保持される。そして、本実施形態に係るカードホルダ１を、コンテナＣに使用状態で取り付けた場合、カード保持部１０は、コンテナＣの側面から、枠体部４０に相当する距離の分だけ離間した位置に位置する。従って、コンテナＣ内に、金属製部品や液体等が収納されている場合において、カード保持部１０に保持された識別カードＴの無線タグＴＷは、コンテナＣ内部に収納されている金属製部品等から、枠体部４０に相当する距離以上離間した位置に位置する。これにより、無線タグＴＷに記録された情報を読み取る際に送受信される電波が、コンテナＣ内部に収納された金属製部品等から受ける影響を小さくすることができるため、当該カードホルダ１は、無線タグＴＷの読取不良が少ない態様で、識別カードＴを保持することができる。
【００４３】
又、本実施形態に係るカードホルダ１を、コンテナＣに対して、使用状態で取り付けた場合、カード保持部１０は、受け部３０に沿って所定角度で傾斜した状態となる。この場合、カード保持部１０に保持された識別カードＴも、所定角度で傾斜した状態となる為、無線タグＴＷに記録された情報の読取精度を向上させ得る。
【００４４】
続いて、本実施形態に係るカードホルダ１の製造工程について、図９を参照しつつ詳細に説明する。上述したように、本実施形態に係るカードホルダ１は、上側金型ＭＡ及び下側金型ＭＢを用いて、合成樹脂を射出成型することによって、一体的に形成される。即ち、図９に示すように、上側金型ＭＡの下面及び下側金型ＭＢの上面によって形成される空間（コア及びキャビティによって構成される空間）内に、合成樹脂を射出成型することによって、本実施形態に係るカードホルダ１は、一体的に形成される。
【００４５】
そして、上側金型ＭＡ及び下側金型ＭＢにより構成される空間内に射出成型された合成樹脂が冷却固化された段階で、上側金型ＭＡ若しくは下側金型ＭＢを、離間する方向（即ち、図９における上又は下方向）に移動させて、空間内に形成された本実施形態に係るカードホルダ１を、上側金型ＭＡ若しくは下側金型ＭＢから取り外す。これにより、本実施形態に係るカードホルダ１は、上側金型ＭＡ及び下側金型ＭＢを用いて、合成樹脂を射出成型して、製造することができる。
【００４６】
尚、図９に示すように、本実施形態に係るカードホルダ１は、上側金型ＭＡ及び下側金型ＭＢの間で、通常状態で成型されている為、カード保持部１０を構成する側壁１２の厚み等が小さくなることはなく、所定の強度を維持した状態で成型される。
【００４７】
ここで、上側金型ＭＡ及び下側金型ＭＢのような、凹凸金型を用いて、本実施形態に係るカードホルダ１の使用状態と同様の状態のカードホルダ１００を製造した場合について、図１０を参照しつつ考察する。当該カードホルダ１００は、上述した本実施形態に係るカードホルダ１の使用状態と同様に、前方側において所定角度で傾斜した状態で配置されたカード保持部１１０と、後方側に形成された取付部１５０を有している。
【００４８】
そして、このカードホルダ１００におけるカード保持部１１０は、所定角度で傾斜した平板状の本体部１１１と、本体部１１１における三辺に沿って立設された側壁１１２と、カード保持部１１０の左右両側に形成された側壁１１２の端縁から、本体部１１１表面に対して水平に延出された保持片１１３とを有して構成されている。又、この場合においても、上側金型ＭＡ及び下側金型ＭＢと同様の凹凸金型により、保持片１１３を形成する関係上、保持片１１３の下方に相当する部分を含む本体部１１１の所定範囲には、開口部１１１Ａが形成される。
【００４９】
上述したように、当該カードホルダ１００は、凹凸金型を用いて合成樹脂を射出成型して製造され、凹凸金型を上又は下方向に移動させて、離間させることにより、凹凸金型内から取り出される。図１０に示すように、カードホルダ１００においては、カード保持部１１０が所定角度で傾斜した状態で射出成型されるので、カード保持部１１０下部に形成される側壁１１２は、凹凸金型の移動方向（即ち、上又は下方向）の関係上、その厚みが小さくなってしまい、本実施形態に係るカードホルダ１よりも強度の低い強度低下部分Ｗとなってしまう。この点、本実施形態に係るカードホルダ１は、図９に示すように、上側金型ＭＡ及び下側金型ＭＢ内に、通常状態で形成される為、使用状態においてカード保持部１０下部に位置する側壁１２の厚みが小さくなることはなく、十分な強度を有するカード保持部１０を形成し得る。
【００５０】
又、図１０に示すように、カードホルダ１００においては、保持片１１３と対向する部分に、開口部１１１Ａが形成された状態で使用されることになり、本実施形態に係るカードホルダ１のように、受け部３０で強度を補うこともできない。従って、当該カードホルダ１００においては、カード保持部１１０における保持片１１３近傍の強度が、本実施形態に係るカードホルダ１よりも低下した状態で使用されることになる。上述したように、本実施形態に係るカードホルダ１によれば、使用状態にすることで、カード保持部１０における開口部１１Ａの一部を、受け部３０と重ね合わせることができ、もって、カード保持部１０における保持片１３近傍の強度を補うことができる。
【００５１】
更に、当該カードホルダ１００は、凹凸金型に合成樹脂を射出成型することによって、本実施形態に係るカードホルダ１が使用状態である状態と同様の構成で形成される。この点、本実施形態に係るカードホルダ１では、上側金型ＭＡ及び下側金型ＭＢに合成樹脂を射出成型することにより、受け部３０及び取付部５０の間に、カード保持部１０が位置する通常状態で形成される。図９、図１０からわかるように、当該カードホルダ１００の前後方向の長さは、本実施形態に係るカードホルダ１と比較して長く形成されることになる為、カードホルダ１００を構成する為の凹凸金型は、本実施形態に係るカードホルダ１を形成する為の上側金型ＭＡ及び下側金型ＭＢと比較して、大型なものとなってしまう。換言すれば、本実施形態に係るカードホルダ１によれば、図１０に示すカードホルダ１００と比較して、小型の金型（上側金型ＭＡ及び下側金型ＭＢ）を用いて製造することができるので、製造コストを低減することができる。
【００５２】
以上説明したように、本実施形態に係るカードホルダ１は、カード保持部１０と、薄肉ヒンジ２０と、受け部３０とを有し、合成樹脂により一体成型されている。カード保持部１０は、平板状の本体部１１と、前記本体部１１表面から間隔を隔てた位置に形成された保持片１３とを有しており、前記本体部１１と前記保持片１３の間に挿入することで、識別カードＴを保持可能に構成されている。そして、当該カード保持部１０は、前記本体部１１における前記保持片１３と対向する範囲を開口した開口部１１Ａを有している。従って、当該カードホルダ１によれば、単純な金型構造である凹凸金型である上側金型ＭＡ及び下側金型ＭＢによって、カード保持部１０を構成する本体部１１及び保持片１３を形成することができる。
【００５３】
そして、本実施形態に係るカードホルダ１において、薄肉ヒンジ２０は、前記カード保持部１０と、当該カード保持部１０における本体部１１の一辺側に平板状に形成された受け部３０の間において、前記カード保持部１０を、前記受け部３０に対して回動可能に接続している。従って、当該カードホルダ１によれば、薄肉ヒンジ２０を軸として、カード保持部１０を回動させることができ、当該カード保持部１０を受け部３０に対して重ね合わせた使用状態にすることができる。そして、当該カードホルダ１によれば、図６に示すように、当該カードホルダ１を使用状態にした場合に、前記開口部１１Ａの少なくとも一部分は、前記受け部３０と重畳するように構成されている。この結果、本実施形態に係るカードホルダ１によれば、受け部３０によって、カード保持部１０における保持片１３近傍の強度を補うことができ、十分な保持強度を実現し得る。
【００５４】
そして、本実施形態に係るカードホルダ１は、更に、樹脂により一体成型された取付部５０と、枠体部４０とを有している。取付部５０は、前記薄肉ヒンジ２０が形成された前記受け部３０の一辺に対向し、且つ、前記カード保持部１０が回動可能な寸法離間した位置に形成され、当該カードホルダ１を対象物（例えば、コンテナＣや金属ラックＲ等）に取り付ける際に用いられる。枠体部４０は、薄肉ヒンジ２０が形成された前記受け部３０の一辺と、当該受け部３０の一辺に対向する前記取付部５０の一辺と共に、前記カード保持部１０の端縁を囲むように形成されている。従って、当該カードホルダ１によれば、当該カードホルダ１を使用状態とすることで、図４〜図６に示すように、カード保持部１０を、前記枠体部４０に相当する寸法の分、前記取付部５０から離間した位置に位置させることができる。
【００５５】
ここで、本実施形態に係るカードホルダ１においては、物品の名称や属性、ロット番号等の多様な情報が記録された無線タグＴＷを有する識別カードＴが、使用状態にあるカード保持部１０に保持される。図７、図８に示すように、本実施形態に係るカードホルダ１は、当該カードホルダ１を使用状態にすることにより、カード保持部１０に保持された識別カードＴの無線タグＴＷを、金属である棚枠ＲＡや、内部に金属製部品等を収納したコンテナＣから、枠体部４０に相当する距離以上離間した位置に位置させることができる。これにより、無線タグＴＷに記録された情報を読み取る際に送受信される電波が、金属製の棚枠ＲＡや、コンテナＣ内の金属製部品等から受ける影響を小さくすることができるため、当該カードホルダ１は、無線タグＴＷの読取不良が少ない態様で、識別カードＴを保持することができる。
【００５６】
以上、実施形態に基づき本発明を説明したが、本発明は上述した実施形態に何ら限定されるものではなく、本発明の趣旨を逸脱しない範囲内で種々の改良変更が可能である。例えば、上述した実施形態においては、識別カードＴは、物品の搬入、搬出及び管理等に利用される種々の情報を記録した無線タグＴＷを有するものであったが、この態様に限定されるものではない。即ち、識別カードＴは、物品の搬入、搬出及び管理等に利用される種々の情報を記録した記憶媒体（例えば、磁気テープ等）を有するものであっても良い。又、識別カードＴとして、その表面に、物品の搬入、搬出及び管理等に利用される種々の情報を印刷したものであっても良いし、これらの情報をコード化したもの（例えば、バーコードや二次元コード）を印刷したものを用いることも可能である。
【００５７】
又、上述した実施形態においては、当該カードホルダ１が取り付けられる対象物として、金属ラックＲを構成する金属製の棚枠ＲＡや、合成樹脂製のコンテナＣを例として挙げていたが、これらに限定されるものではない。即ち、当該カードホルダ１が取り付けられる運搬用容器は、合成樹脂製のものに限定されるものではなく、金属製の線材や板材等で構成される運搬用容器であってもよい。
【符号の説明】
【００５８】
１      カードホルダ
１０    カード保持部
１１    本体部
１１Ａ  開口部
１３    保持片
２０    薄肉ヒンジ
３０    受け部
４０    枠体部
５０    取付部
Ｔ      識別カード
ＴＷ    無線タグ
【図１】
2014099136.tif 000003
【図２】
2014099136.tif 000004
【図３】
2014099136.tif 000005
【図４】
2014099136.tif 000006
【図５】
2014099136.tif 000007
【図６】
2014099136.tif 000008
【図７】
2014099136.tif 000009
【図８】
2014099136.tif 000010
【図９】
2014099136.tif 000011
【図１０】
2014099136.tif 000012